(57)【特許請求の範囲】
【請求項１】
感覚再生装置を用いたマルチメディアアプリケーションシステムにおいて、
コンテンツ、前記感覚再生装置のユーザ選好情報（ＵＰＩ）、そして前記感覚再生装置の再生能力を示す再生能力情報（ＤＣＩ）により前記感覚再生装置を用いて感覚効果を表すために生成された感覚効果情報（ＳＥＩ）に基づいて前記感覚再生装置の制御のための再生命令情報（ＳＤＣ）を生成する感覚再生装置エンジン部と、
前記生成されたＳＤＣに基づいて感覚効果を再生するように各感覚再生装置を制御する感覚再生装置制御部と
を含み、
前記感覚効果情報は拡張性生成言語（ｅｘｔｅｎｓｉｂｌｅ  ｍａｒｋｕｐ  ｌａｎｇｕａｇｅ（ＸＭＬ））スキーマ形態のＳＥＩメタデータで叙述され、
前記ＳＥＩメタデータは、
拡張可能な再生装置の属性情報を叙述するメタデータ（＃＃ｏｔｈｅｒ  ｍｅｔａｄａｔａ）、
２つ以上の感覚効果情報を叙述するグループ効果メタデータ（Ｇｒｏｕｐ  Ｏｆ  Ｅｆｆｅｃｔｓ  ｍｅｔａｄａｔａ）、
１つの感覚効果情報を叙述するシングル効果メタデータ（Ｓｉｎｇｌｅ  Ｅｆｆｅｃｔ  ｍｅｔａｄａｔａ）、
前記感覚効果に関連したパラメータを叙述するパラメータメタデータ（Ｐａｒａｍｅｔｅｒｓ  ｍｅｔａｄａｔａ）のうち少なくとも一つを含むことを特徴とする、マルチメディアアプリケーションシステム。
【請求項２】
前記再生能力情報（ＤＣＩ）は前記感覚再生装置の再生能力の範囲を含むことを特徴とする請求項１に記載のマルチメディアアプリケーションシステム。
【請求項３】
前記ＳＥＩメタデータは前記ＳＥＩメタデータのスキーマで最上位の基本タイプとして提供されるＳＥＩ基本タイプメタデータ（ＳＥＩ  ｂａｓｅ  ｔｙｐｅ  ｍｅｔａｄａｔａ）を更に含み、  前記ＳＥＩ基本タイプメタデータは前記シングル効果メタデータの基本タイプ（Ｓｉｎｇｌｅ  Ｅｆｆｅｃｔ  Ｂａｓｅ  Ｔｙｐｅ  ｍｅｔａｄａｔａ）と、前記パラメータメタデータの基本タイプ（Ｐａｒａｍｅｔｅｒｓ  Ｂａｓｅ  Ｔｙｐｅ  ｍｅｔａｄａｔａ）と、ＳＤＣメタデータの基本タイプ（ＳＤＣ  Ｂａｓｅ  Ｔｙｐｅ  ｍｅｔａｄａｔａ）として用いることを特徴とする請求項１に記載のマルチメディアアプリケーションシステム。
【請求項４】
前記ＳＥＩ基本タイプメタデータは、
識別可能な属性情報を示すメタデータ（ｉｄ）を含むことを特徴とする請求項３に記載のマルチメディアアプリケーションシステム。
【請求項５】
前記グループ効果メタデータは、
拡張可能な再生装置の属性情報を叙述するメタデータ（＃＃ｏｔｈｅｒ  ｍｅｔａｄａｔａ）、及び
１つの感覚効果情報を叙述するシングル効果メタデータ（Ｓｉｎｇｌｅ  Ｅｆｆｅｃｔ
ｍｅｔａｄａｔａ）を含むことを特徴とする請求項１に記載のマルチメディアアプリケーションシステム。
【請求項６】
前記シングル効果メタデータの基本タイプは、拡張可能な再生装置の属性情報を叙述するメタデータ（＃＃ｏｔｈｅｒ  ｍｅｔａｄａｔａ）を含むことを特徴とする請求項３に記載のマルチメディアアプリケーションシステム。
【請求項７】
前記パラメータメタデータの基本タイプ（Ｐａｒａｍｅｔｅｒｓ  Ｂａｓｅ  Ｔｙｐｅ
ｍｅｔａｄａｔａ）は、拡張可能な再生装置の属性情報を叙述するメタデータ（＃＃ｏｔｈｅｒ  ｍｅｔａｄａｔａ）を含むことを特徴とする請求項３に記載のマルチメディアアプリケーションシステム。
【請求項８】
前記シングル効果メタデータは、
風効果を再生する感覚効果再生装置の情報を叙述するファンタイプメタデータ（Ｆａｎ
Ｔｙｐｅ）を含み、
前記ファンタイプメタデータは、
前記風効果を再生する感覚効果再生装置の再生方法の属性情報を叙述するメタデータ（ｍｅｔｈｏｄ）、
位置情報を示す属性情報を叙述するメタデータ（ｓｉｄｅ）、
再生強度を示す属性情報を叙述するメタデータ（ｓｐｅｅｄ）、
前記コンテンツが一定に再生される持続時間を示す属性情報を叙述するメタデータ（ｄｕｒａｔｉｏｎ）、
前記コンテンツが変化しながら再生される持続時間を示す属性情報を叙述するメタデータ（ｖＴｉｍｅ）、
変化する持続時間の時間の変化量を示す属性情報を叙述するメタデータ（ｖＤｅｌｔａ）、
変化するパターンを示す属性情報を叙述するメタデータ（ｖＳｉｄｅ）、
変化する再生強度の最低値を示す属性情報を叙述するメタデータ（ｖＬｏｗｅｒ）、
変化する再生強度の最高値を示す属性情報を叙述するメタデータ（ｖＵｐｐｅｒ）、及び
活性化された感覚効果再生装置の属性情報を叙述するメタデータ（ａｃｔｉｖａｔｅ）の中から選択された１つ以上のメタデータを含むことを特徴とする請求項１に記載のマルチメディアアプリケーションシステム。
【請求項９】
前記シングル効果メタデータは、前記コンテンツの原本カラー復元情報を叙述する原本カラーパラメータメタデータ（Ｒｅｆｅｒｅｎｃｅ  Ｃｏｌｏｒ  Ｐａｒａｍｅｔｅｒ  ｍｅｔａｄａｔａ）を含み、
前記原本カラーパラメータメタデータは、
カラー復元のための原本カラーディスプレイ装置の特性を示すカーブを叙述するメタデータ（Ｔｏｎｅ  Ｒｅｐｒｏｄｕｃｔｉｏｎ  Ｃｕｒｖｅｓ）、
原本映像のカラー空間から標準カラー空間への映像変換を行なうマトリックスを叙述するメタデータ（Ｃｏｎｖｅｒｓｉｏｎ  Ｍａｔｒｉｘ）、
原本映像作業空間における照明光源の種類を叙述するメタデータ（Ｉｌｌｕｍｉｎａｎｔ）、
原本カラーディスプレイ色域（ｃｏｌｏｒ  ｇａｍｕｔ）を叙述するメタデータ（Ｉｎｐｕｔ  Ｄｅｖｉｃｅ  Ｃｏｌｏｒ  Ｇａｍｕｔ）、及び
周辺の輝度を叙述するメタデータ（Ｌｕｍｉｎａｎｃｅ  Ｏｆ  Ｓｕｒｒｏｕｎｄ）の中から選択された１つ以上のメタデータを含むことを特徴とする請求項１に記載のマルチメディアアプリケーションシステム。
【請求項１０】
前記パラメータメタデータは、原本カラーディスプレイ装置の特性を示すカーブを叙述するメタデータ（Ｔｏｎｅ  Ｒｅｐｒｏｄｕｃｔｉｏｎ  Ｃｕｒｖｅｓ）を含み、
前記メタデータ（Ｔｏｎｅ  Ｒｅｐｒｏｄｕｃｔｉｏｎ  Ｃｕｒｖｅｓ）は、前記原本カラーディスプレイ装置の各チャネルのカンマ値を表示するために必要なＤＡＣ（Ｄｉｇｉｔａｌ  ｔｏ  Ａｎａｌｏｇ  ｃｏｎｖｅｒｓｉｏｎ）値とＲＧＢ値を叙述するメタデータ（Ｒｅｃｏｒｄ）、
前記ＤＡＣ値を叙述するメタデータ（ＤＡＣ＿Ｖａｌｕｅ）、及び
各チャネルのＲＧＢ値を叙述するメタデータ（ＲＧＢ＿Ｖａｌｕｅ）の中から選択された１つ以上のメタデータを含むことを特徴とする請求項１に記載のマルチメディアアプリケーションシステム。
【請求項１１】
前記ユーザ選好情報（ＵＰＩ）は拡張性生成言語（ＸＭＬ）スキーマ形態のＵＰＩメタデータで叙述され、
前記ＵＰＩメタデータは最終ユーザの個人情報を叙述するメタデータ（Ｐｅｒｓｏｎａｌ  Ｉｎｆｏ）及び感覚効果選好情報を叙述する感覚効果選好情報メタデータ（Ｐｒｅｆｅｒｅｎｃｅ  Ｄｅｓｃｒｉｐｔｉｏｎ  ｍｅｔａｄａｔａ）を含むことを特徴とする請求項１に記載のマルチメディアアプリケーションシステム。
【請求項１２】
前記感覚効果選好情報メタデータは、
前記コンテンツの原本カラー復元の選好情報を叙述するメタデータ（Ｓｅｌｅｃｔ  Ｒｅｆｅｒｅｎｃｅ  Ｃｏｌｏｒ）、
照明調節選好情報を叙述するメタデータ（Ｓｅｌｅｃｔ  Ｄｉｍｍｉｎｇ）、
周辺照明調節選好情報を叙述するメタデータ（Ｓｅｌｅｃｔ  ＬＥＤ）、
温度調節選好情報を叙述するメタデータ（Ｓｅｌｅｃｔ  Ｔｅｍｐｅｒａｔｕｒｅ）、及び
他の再生可能な効果の選好情報を叙述するメタデータ（Ｓｅｌｅｃｔ  Ｗｉｎｄ）の中から選択された１つ以上のメタデータを含むことを特徴とする請求項１１に記載のマルチメディアアプリケーションシステム。
【請求項１３】
前記再生能力情報（ＤＣＩ）は、
拡張性生成言語（ＸＭＬ）スキーマ形態のＤＣＩメタデータで叙述され、
前記ＤＣＩメタデータは前記感覚再生装置の再生可能な能力を叙述する再生可能能力メタデータ（Ｄｅｖｉｃｅ  Ｃａｐａｂｉｌｉｔｙ  ｍｅｔａｄａｔａ）を含むことを特徴とする請求項１に記載のマルチメディアアプリケーションシステム。
【請求項１４】
前記再生可能能力メタデータは、
前記感覚再生装置の固有識別番号属性情報を叙述するメタデータ（Ｄｅｖｉｃｅ  ＩＤ）、
装置の種類を叙述する属性情報を叙述するメタデータ（Ｔｙｐｅ  Ｏｆ  Ｄｅｖｉｃｅ）、
前記感覚再生装置の個数情報を叙述するメタデータ（Ｎｕｍｂｅｒ）、
前記感覚再生装置の最小能力情報を叙述するメタデータ（Ｍｉｎ  Ｌｅｖｅｌ）、  前記感覚再生装置の最大能力情報を叙述するメタデータ（Ｍａｘ  Ｌｅｖｅｌ）、  前記感覚再生装置の位置情報を叙述するメタデータ（Ｌｏｃａｔｉｏｎ）の中から選択された１つ以上のメタデータを含むことを特徴とする請求項１３に記載のマルチメディアアプリケーションシステム。
【請求項１５】
前記再生命令情報（ＳＤＣ）は拡張性生成言語（ＸＭＬ）スキーマ形態のＳＤＣメタデータで叙述され、
前記ＳＤＣメタデータは感覚再生装置制御命令を叙述する感覚再生装置制御命令メタデータ（Ｓｅｎｓｏｒｙ  Ｄｅｖｉｃｅ  Ｃｏｍｍａｎｄ  ｍｅｔａｄａｔａ）を含むことを特徴とする請求項１に記載のマルチメディアアプリケーションシステム。
【請求項１６】
前記感覚再生装置制御命令メタデータは、
風効果を再生する装置制御命令情報を叙述するメタデータ（Ｓｅｔ  Ｆａｎ  Ｔｙｐｅ）を含み、
前記メタデータＳｅｔ  Ｆａｎ  Ｔｙｐｅは、
再生強度を示す属性情報を叙述するメタデータ（ｓｐｅｅｄ）、
一定の再生時間を示す属性情報を叙述するメタデータ（Ｄｕｒａｔｉｏｎ）、  再生装置の活性化を示す属性情報を叙述するメタデータ（Ａｃｔｉｖａｔｅ）の中から選択された１つ以上のメタデータを含むことを特徴とする請求項１５に記載のマルチメディアアプリケーションシステム。
【請求項１７】
前記感覚再生装置制御命令メタデータは、
スクリーン効果を再生する装置制御命令情報を叙述するメタデータ（ＳｅｔＳｃｒｅｅｎＴｙｐｅ）、
色感効果を再生する装置制御命令情報を叙述するメタデータ（Ｓｅｔ  Ｒｅｆｅｒｅｎｃｅ  Ｃｏｌｏｒ  Ｔｙｐｅ）、及び
照明効果を再生する装置制御命令情報を叙述するメタデータ（Ｓｅｔ  Ｌｉｇｈｔ  Ｔｙｐｅ）の中から選択された１つ以上のメタデータを含むことを特徴とする請求項１５に記載のマルチメディアアプリケーションシステム。
【請求項１８】
感覚再生装置を用いたマルチメディアアプリケーションシステムにおける感覚効果の再生方法において、
感覚再生装置エンジン部で動画コンテンツに応じて感覚効果を表す感覚再生装置のために生成された感覚効果情報（ＳＥＩ）の入力を受ける過程と、
感覚再生装置のユーザ選好情報（ＵＰＩ）の入力を受ける過程と、
前記感覚再生装置の再生能力を示す再生能力情報（ＤＣＩ）の入力を受ける過程と、
前記入力を受けた感覚効果情報（ＳＥＩ）、ユーザ選好情報（ＵＰＩ）、再生能力情報（ＤＣＩ）に基づいて前記感覚再生装置の制御のための再生命令情報（ＳＤＣ）を生成する過程と、
前記生成された再生命令情報（ＳＤＣ）を感覚効果の再生を行う各感覚再生装置と連動した感覚再生装置制御部に伝達する過程とを含み、
前記ＳＤＣを生成する過程は、
前記感覚効果情報（ＳＥＩ）に前記ユーザ選好情報（ＵＰＩ）を反映させる過程と、    前記ユーザ選好情報（ＵＰＩ）が反映された前記感覚効果情報（ＳＥＩ）と前記再生能力情報（ＤＣＩ）に基づいて使用可能な感覚再生装置に関する情報を判断することによって前記再生命令情報（ＳＤＣ）を生成する過程とを含み、
前記感覚効果情報（ＳＥＩ）、ユーザ選好情報（ＵＰＩ）、及び再生能力情報（ＤＣＩ）に基づいて、前記感覚再生装置と前記感覚再生装置の制御範囲を設定することによって前記再生命令情報（ＳＤＣ）を生成し、
前記感覚効果情報（ＳＥＩ）は、前記感覚再生装置に関する属性情報と、前記感覚再生装置の感覚効果情報と、感覚効果と関連したパラメータ情報のうち少なくとも1つを含み、
前記ユーザ選好情報（ＵＰＩ）は、最終ユーザの個人情報と、最小再生能力情報と、最大再生能力情報と、装置の立地情報のうち少なくとも1つを含み、
前記再生命令情報（ＳＤＣ）は、感覚効果を再生する装置に対する固有識別情報と、再生装置の感覚効果情報と、感覚効果と関連したパラメータ情報のうち少なくとも１つを含むことを特徴とする、感覚再生装置に係るメタデータを用いたマルチメディアアプリケーション方法。
【発明の詳細な説明】
【技術分野】
【０００１】
本発明はユーザに動画コンテンツを提供するための技術に関し、詳細には、動画コンテンツの製作から最終消費に至るまで感覚再生工程の間に製作者の意図に応じた消費者中心の高品質マルチメディアサービスを提供するためのマルチメディアアプリケーションシステム及びその方法を提供することに関する。
【背景技術】
【０００２】
一般に、動画コンテンツは、動画コンテンツを再生するためのコンピューティング装置又は光ディスク再生器を通じてユーザに提供される。このような場合、ビデオコンテンツはＣＤ（Ｃｏｍｐａｃｔ Ｄｉｓｃ）、ＤＶＤ（Ｄｉｇｉｔａｌ Ｖｅｒｓａｔｉｌｅ Ｄｉｓｃ）、又はブルーレイディスク（Ｂｌｕｅ-Ｒａｙ ｄｉｓｃ）のような光ディスクに格納され、再生されるイメージ信号は光ディスク再生器と接続されるコンピューティング装置又はテレビを通じてユーザにディスプレイするようになる。
【０００３】
ただし、このような動画コンテンツ再生技術は、さらに発展して動画の再生中にさらに臨場感ある映像をユーザに提供するために、動画コンテンツの内容に応じて霧、風、温度、臭い、明かり、稲妻、椅子の動きなどの感覚効果を制御する周辺感覚再生装置及び周辺感覚再生装置を制御する信号処理システムに対する多くの研究が進められており、このような技術を提供する多様なシステムが発売されている。
【０００４】
前述したように動作する従来技術による周辺感覚再生装置においては、動画コンテンツの内容に応じて多様な効果を提供しているが、これまでは限られた空間の限られた場所でのみ実現されている。
【０００５】
また、従来の感覚効果は、動画コンテンツを考慮して動画コンテンツに符合する感覚再生装置を通じて再生されているが、動画コンテンツと感覚再生装置の対応関係は異なり得る。従って、ユーザの場所に備えられる家電製品と照明装置を用いて動画コンテンツに設定される感覚効果を再生するために、動画コンテンツと関連し、動画コンテンツに応じた感覚効果を再生できる感覚再生装置が求められる。
【０００６】
さらに、従来の感覚効果は、ユーザがより生き生きした動画コンテンツを楽しむ上でツールとしての役割をするだけであり、製作者の意図に応じた動画の色再現や、照明の制御方式については表すことができず、これと共に、動画コンテンツを再生させるユーザも視聴する動画においてユーザが希望する感覚効果を制御したいが、これに対する特別な方案がなかった。
【発明の概要】
【発明が解決しようとする課題】
【０００７】
本発明は上記事情に鑑みてなされたものであって、その目的は、動画コンテンツに応じたディスプレイ装置の色感と周辺照明のような感覚効果を効果的に制御するための感覚再生装置のメタデータを用いるマルチメディアアプリケーションシステム及びその方法を提供することにある。
【課題を解決するための手段】
【０００８】
本発明は、動画製作者の意図と動画コンテンツに応じてディスプレイ装置の色感及び感覚再生装置を最適化する新たなメタデータ形式を用いて製作者の意図に応じた消費者中心の高品質マルチメディアサービスを提供するためのマルチメディアアプリケーションシステム及びその方法を提供する。
【０００９】
また、本発明は、動画コンテンツを構成する内容に応じてディスプレイ機器の色感及び周辺照明など周辺感覚再生装置を制御するマルチメディアアプリケーションシステムに対するメタデータを構成する過程において、感覚再生装置を効果的に制御するためのＳＥＩ（Ｓｅｎｓｏｒｙ Ｅｆｆｅｃｔ Ｉｎｆｏｒｍａｔｉｏｎ）メタデータを活用する方法を含んでおり、メタデータに基づくコンテンツ活用の方法的なツールを含むことによって、動画コンテンツの製作から最終消費に至るまで感覚再生工程の間に製作者の意図に応じた消費者中心の高品質マルチメディアサービスを提供する。
【発明の効果】
【００１０】
本発明によれば、動画コンテンツの視聴において動画コンテンツを構成する内容に応じてディスプレイ機器の色感及び周辺照明など周辺感覚再生装置を制御するマルチメディアアプリケーションシステムに対するメタデータを構成する過程で、感覚再生装置を効果的に制御するために必要な多様な情報をメタデータとして含み、メタデータに基づくコンテンツ活用の方法的なツールを含むことによって、動画コンテンツの製作から最終消費に至るまで感覚再生工程の間に製作者の意図に応じた動画の色再現に対する感覚機能を追加することで、ユーザが原動画の色感を感じることができる消費者中心の高品質マルチメディアサービスを提供できるという効果を奏する。
【００１１】
本発明の目的及び特徴は、以下の添付の図面を参照する発明を実施するための形態の記述から明らかになる。
【図面の簡単な説明】
【００１２】
【図１】本発明の好適な実施形態によるマルチメディアアプリケーションシステムの構造を示すブロック図である。
【図２】本発明の好適な実施形態によるＳＥＩメタデータ生成部を示すブロック図である。
【図３】本発明の好適な実施形態によるＳＥＩメタデータの要素を示すブロック図である。
【図４】本発明の好適な実施形態によるＳＥＩメタデータをスキーマ形態で示す構造図である。
【図５】本発明の好適な実施形態によるＳＥＩメタデータのスキーマにおいて基本タイプ体系で最上位の基本タイプとして提供されるＳＥＩ Ｂａｓｅ Ｔｙｐｅメタデータの要素を示すブロック図である。
【図６】本発明の好適な実施形態によるＳＥＩ  Ｂａｓｅ  Ｔｙｐｅメタデータをスキーマ形態で示す構造図である。
【図７】本発明の好適な実施形態によるＧｒｏｕｐ  Ｏｆ  Ｅｆｆｅｃｔｓメタデータの要素を示すブロック図である。
【図８】本発明の好適な実施形態によるＧｒｏｕｐ  Ｏｆ  Ｅｆｆｅｃｔｓメタデータをスキーマ形態で示す構造図である。
【図９】本発明の好適な実施形態による１つの感覚効果情報を表現するための風効果を再生する装置の情報を叙述するメタデータの要素を示すブロック図である。
【図１０】本発明の好適な実施形態によるＦａｎ Ｔｙｐｅメタデータをスキーマ形態で示す構造図である。
【図１１】本発明の好適な実施形態による原本（参照）カラーパラメータメタデータの要素を示すブロック図である。
【図１２】本発明の好適な実施形態による原本カラーメタデータをスキーマ形態で示す構造図である。
【図１３】本発明の好適な実施形態によるトーン再生カーブの要素を示すブロック図である。
【図１４】本発明の好適な実施形態によるトーン再生カーブをスキーマ形態で示す構造図である。
【図１５】本発明の好適な実施形態による映像変換マトリクスの要素を示すブロック図である。
【図１６】本発明の好適な実施形態による映像変換マトリクスをスキーマ形態で示す構造図である。
【図１７】本発明の好適な実施形態による照明光源メタデータの要素を示すブロック図である。
【図１８】本発明の好適な実施形態による照明光源をスキーマ形態で示す構造図である。
【図１９】本発明の好適な実施形態による入力装置色域メタデータの要素を示す構造図である。
【図２０】本発明の好適な実施形態による入力装置色域メタデータをスキーマ形態で示す構造図である。
【図２１】本発明の好適な実施形態によるＵＰＩメタデータ生成部を示すブロック図である。
【図２２】本発明の好適な実施形態によるＵＰＩメタデータの要素を示すブロック図である。
【図２３】本発明の好適な実施形態によるＵＰＩメタデータをスキーマ形態で示す構造図である。
【図２４】本発明の好適な実施形態による感覚効果選好情報メタデータの要素を示す構造図である。
【図２５】本発明の好適な実施形態による感覚効果選好情報メタデータをスキーマ形態で示す構造図である。
【図２６】本発明の好適な実施形態によるＤＣＩメタデータ生成部を示すブロック図である。
【図２７】本発明の好適な実施形態によるＤＣＩメタデータの要素を示すブロック図である。
【図２８】本発明の好適な実施形態によるＤＣＩメタデータをスキーマ形態で示す構造図である。
【図２９】本発明の好適な実施形態による装置能力メタデータの要素を示すブロック図である。
【図３０】本発明の好適な実施形態による装置能力メタデータをスキーマ形態で示す構造図である。
【図３１】本発明の好適な実施形態によるＳＤＣメタデータ生成部を示すブロック図である。
【図３２】本発明の好適な実施形態によるＳＤＣメタデータの要素を示すブロック図である。
【図３３】本発明の好適な実施形態によるＳＤＣメタデータをスキーマ形態で示す構造図である。
【図３４】本発明の好適な実施形態による１つの感覚再生装置の制御命令情報の例であって、風効果を再生する装置の制御命令情報を叙述するメタデータ（Ｓｅｔ Ｆａｎ Ｔｙｐｅ）の要素を示すブロック図である。
【図３５】本発明の好適な実施形態によるＳｅｔ Ｆａｎ Ｔｙｐｅメタデータをスキーマ形態で示す構造図である。
【図３６】本発明の好適な実施形態による広告動画コンテンツの視聴においてメタデータを活用して感覚効果を再生するマルチメディアアプリケーションサービスを示す図である。
【発明を実施するための形態】
【００１３】
以下、添付する図面を参照して本発明の実施形態を詳細に説明する。
【００１４】
図１は、本発明の一実施形態によるマルチメディアアプリケーションシステムを示すブロック図である。
【００１５】
図１において、マルチメディアアプリケーションシステムは、動画コンテンツの感覚効果情報（ＳＥＩ：Ｓｅｎｓｏｒｙ Ｅｆｆｅｃｔ Ｉｎｆｏｒｍａｔｉｏｎ）メタデータを生成するＳＥＩメタデータ生成部１００、ユーザ選好情報（Ｕｓｅｒ Ｐｒｅｆｅｒｅｎｃｅ Ｉｎｆｏｒｍａｔｉｏｎ、以下ＵＰＩという）メタデータを生成するＵＰＩメタデータ生成部２００、感覚再生装置の再生能力情報（Ｄｅｖｉｃｅ Ｃａｐａｂｉｌｉｔｙ Ｉｎｆｏｒｍａｔｉｏｎ、以下ＤＣＩという）メタデータを生成するＤＣＩメタデータ生成部１０４、感覚再生装置制御命令（Ｓｅｎｓｏｒｙ Ｄｅｖｉｃｅ ｃｏｎｔｒｏｌ Ｃｏｍｍｅｎｄ、以下ＳＤＣという）メタデータを生成するためのＳＤＣメタデータ生成部１０６、感覚再生装置エンジン部１０８、感覚再生装置制御部１１０、通信チャネル部１１２を含む。
【００１６】
まず、マルチメディアアプリケーションシステムを駆動する方法について簡略に記述する。メタデータは、ＳＥＩメタデータ生成部１００とＵＰＩメタデータ生成部１０２によって繰り返し生成され、通信チャネル部１１２を通じて感覚再生装置エンジン部１０８に伝達される。感覚再生装置制御部１１０は、それにより制御される感覚再生装置（例えば、ディスプレイ装置１１４、照明装置１１６、発光素子（ＬＥＤ）装置１１８、そして温度調節装置１２０の１つの装置）又は、動画コンテンツによって制御される感覚再生装置（例えば、風調節装置又は香り調節装置）を通じて高品質のマルチメディアサービスを提供する。
【００１７】
ここで、感覚再生装置エンジン部１０８は、それぞれのメタデータ生成部から受信したＳＥＩ、ＵＰＩ、ＤＣＩメタデータに基づいて感覚再生装置の制御のためのＳＤＣ情報を生成する。
【００１８】
例えば、感覚再生装置エンジン部１０８は、感覚効果情報（ＳＥＩ）にユーザ選好情報（ＵＰＩ）を反映し、再生能力情報（ＤＣＩ）に基づいて使用可能な感覚再生装置に関する情報を判断して、再生命令情報（ＳＤＣ）を生成する。この場合、感覚効果情報（ＳＥＩ）、ユーザ選好情報（ＵＰＩ）、及び再生能力情報（ＤＣＩ）に基づいて感覚再生装置制御部１１０によって制御される感覚再生装置と、このような感覚再生装置の制御範囲とが生成された再生命令情報（ＳＤＣ）に設定される。
【００１９】
ＳＥＩメタデータ生成部１００は、動画コンテンツ製作者により指定される感覚再生装置の効果を叙述するＳＥＩメタデータを生成し、ＵＰＩメタデータ生成部１０２は、最終ユーザにより好む感覚効果再生に関連するユーザ選好情報を叙述するＵＰＩメタデータを生成し、ＤＣＩメタデータ生成部１０４は、感覚再生装置制御部１１０に接続される感覚再生装置の再生能力情報を叙述するＤＣＩメタデータを生成する。
【００２０】
即ち、感覚再生装置制御部１１０は、ＤＣＩメタデータ生成部１０４を通じて感覚再生装置制御部１１０に連動した感覚再生装置を制御できる制御範囲が設定された再生能力情報を生成するものである。
【００２１】
感覚再生装置エンジン部１０８は、ＳＥＩ、ＵＰＩ、ＤＣＩメタデータを受信し、受信されたメタデータに基づいて生成された感覚再生装置を制御するための情報（即ち、ＳＤＣ情報）をＳＤＣメタデータ生成部１０６に送信する。ＳＤＣメタデータ生成部１０６は、ＳＤＣ情報を叙述するＳＤＣメタデータを生成する。
【００２２】
この場合、メタデータ生成部１００、１０２、１０５と感覚再生装置エンジン部１０８との間のデータ送受信と感覚再生装置エンジン部１０８と感覚再生装置制御部１１０との間のデータ送受信は、通信チャネル部１１２を介して行われる。ここで、感覚再生装置エンジン部１０８と感覚再生装置制御部１１０を繋ぐ通信チャネル部１１２は特定の通信プロトコルを用いてデータ通信をするための光ケーブル又はＬＡＮケーブル（ＵＴＰ：非シールドより対線）のような有線ネットワークになり得る。又は、ＣＤＭＡ、ＷＣＤＭＡ、ＦＤＭＡのようなモバイル通信とブルートゥース、ワイブロ（ＷｉＢｒｏ）、又は無線ランシステムのような無線通信のうちの１つがデータ送受信を行うこともできるが、これは１つの実施形態に過ぎず、データ送受信に使用され得る通信方式であれば、いずれの通信方式も適用可能であるのはもちろんである。
【００２３】
本発明は、メタデータを標準化された形式及び構造に従って叙述する段階においてＭＰＥＧ−７叙述構造標準（Ｍｕｌｔｉｍｅｄｉａ Ｄｅｓｃｒｉｐｔｉｏｎ Ｓｃｈｅｍｅ：ＭＤＳ）とＭＰＥＧ−２１のデジタルアイテム適応（Ｄｉｇｉｔａｌ Ｉｔｅｍ  Ａｄａｐｔａｔｉｏｎ：ＤＩＡ）叙述構造標準を用いることを基本的な特徴とする。
【００２４】
図２は、本発明の好適な実施形態によるＳＥＩメタデータ生成部を示す。
【００２５】
図２を参照すれば、ＳＥＩメタデータ生成部１００は、簡単な感覚再生装置の効果を叙述するＳＥＩメタデータ２００を生成する。
【００２６】
図３は、本発明の好適な実施形態によるＳＥＩメタデータの要素を示すブロック図である。図３のように、ＳＥＩメタデータ２００は、拡張可能な再生装置の属性情報を叙述するメタデータ-＃＃ｏｔｈｅｒ３００、２つ以上の感覚効果情報を叙述するメタデータ-Ｇｒｏｕｐ  Ｏｆ  Ｅｆｆｅｃｔｓ３０２、１つの感覚効果情報を叙述するメタデータ-Ｓｉｎｇｌｅ  Ｅｆｆｅｃｔ３０４、感覚効果と関連したパラメータを叙述するメタデータ-Ｐａｒａｍｅｔｅｒｓ３０６を含む。動画コンテンツの製作者は、感覚再生装置のために様々な感覚効果情報を作成する。
【００２７】
図４は、本発明の好適な実施形態によるＳＥＩメタデータをスキーマ形態で示す図である。図３に示されたＳＥＩメタデータ２００及びＳＥＩメタデータ２００の要素をスキーマ形態で示している。
【００２８】
表１は、ＳＥＩメタデータ２００の叙述構造をＸＭＬ（ｅＸｔｅｎｓｔｉｂｌｅ  Ｍａｒｋｕｐ  Ｌａｎｇｕａｇｅ）スキーマ形態で示すものである。
【表１】
0005781435.tif 000002
【００２９】
図５は、本発明の好適な実施形態によるＳＥＩメタデータ２００のスキーマにおいて基本タイプ体系で最上位の基本タイプとして提供されるＳＥＩ  Ｂａｓｅ  Ｔｙｐｅメタデータの要素を示すブロック図であって、図５のように、ＳＥＩ  Ｂａｓｅ  Ｔｙｐｅメタデータ５００は、ある識別可能な属性情報を叙述するメタデータ（ｉｄ）５０２を含む。
【００３０】
また、図５におけるＳＥＩ  Ｂａｓｅ  Ｔｙｐｅメタデータ５００は、Ｓｉｎｇｌｅ  Ｅｆｆｅｃｔメタデータ３０４の基本タイプ（Ｓｉｎｇｌｅ  Ｅｆｆｅｃｔ  Ｂａｓｅ  Ｔｙｐｅ）とＰａｒａｍｅｔｅｒｓメタデータ３０６の基本タイプ（Ｐａｒａｍｅｔｅｒｓ  Ｂａｓｅ  Ｔｙｐｅ）、ＳＤＣメタデータの基本タイプ（ＳＤＣ  Ｂａｓｅ  Ｔｙｐｅ）に基本タイプとして用いられる。
【００３１】
図６は、本発明の好適な実施形態によるＳＥＩ  Ｂａｓｅ  Ｔｙｐｅメタデータをスキーマ形態で示す構造図であって、図５に示すＳＥＩ  Ｂａｓｅ  Ｔｙｐｅメタデータ５００及びＳＥＩ  Ｂａｓｅ  Ｔｙｐｅメタデータ５００の要素をスキーマ形態で示している。
【００３２】
表２は、ＳＥＩ  Ｂａｓｅ  Ｔｙｐｅメタデータ５００の叙述構造を拡張性生成言語ＸＭＬスキーマ形態で示すものである。
【表２】
0005781435.tif 000003
【００３３】
図７は、本発明の好適な実施形態によるＧｒｏｕｐ  Ｏｆ  Ｅｆｆｅｃｔｓメタデータの要素を示すブロック図である。図７を参照すれば、Ｇｒｏｕｐ  Ｏｆ  Ｅｆｆｅｃｔｓメタデータ３０２は、拡張可能な感覚再生装置に関する属性情報を叙述するメタデータ-＃＃ｏｔｈｅｒ７００と、１つの感覚効果情報を叙述するメタデータ-Ｓｉｎｇｌｅ  Ｅｆｆｅｃｔ７０２の少なくとも２つを含む。
【００３４】
図８は、本発明の好適な実施形態によるＧｒｏｕｐ  Ｏｆ  Ｅｆｆｅｃｔｓメタデータをスキーマ形態で示す構造図であって、図７に示すＧｒｏｕｐ  Ｏｆ  Ｅｆｆｅｃｔｓメタデータ３０２及びＧｒｏｕｐ  Ｏｆ  Ｅｆｆｅｃｔｓメタデータ３０２の要素をスキーマ形態で示している。
【００３５】
表３は、Ｇｒｏｕｐ  Ｏｆ  Ｅｆｆｅｃｔｓメタデータ３０２の叙述構造をＸＭＬスキーマ形態で示すものである。
【表３】
0005781435.tif 000004
【００３６】
表４は、Ｓｉｎｇｌｅ  Ｅｆｆｅｃｔメタデータ３０４の基本タイプとして提供される叙述構造をＸＭＬスキーマ形態で示すものである。
【表４】
0005781435.tif 000005
【００３７】
表５は、Ｐａｒａｍｅｔｅｒｓメタデータ３０６の基本タイプとして提供される叙述構造をＸＭＬスキーマ形態で示すものである。
【表５】
0005781435.tif 000006
【００３８】
図９は、本発明の好適な実施形態による１つの感覚効果情報を表現するために風効果を再生する感覚再生装置の情報を叙述するメタデータＦａｎ Ｔｙｐｅ９００の要素を示すブロック図である。
【００３９】
図９を参照すれば、装置の再生方法を示す属性情報を叙述するメタデータ-ｍｅｔｈｏｄ９０２と位置情報を示す属性情報を叙述するメタデータ-ｓｉｄｅ９０４、再生強度を示す属性情報を叙述するメタデータ-ｓｐｅｅｄ９０６、一定に再生される持続時間を示す属性情報を叙述するメタデータ-ｄｕｒａｔｉｏｎ９０８、変化しながら再生される持続時間を示す属性情報を叙述するメタデータ-ｖＴｉｍｅ９１０、変化する持続時間の時間の変化量を示す属性情報を叙述するメタデータ-ｖＤｅｌｔａ９１２、変化するパターンを示す属性情報を叙述するメタデータ-ｖＳｉｄｅ９１４、変化する再生強度の最低強度を示す属性情報を叙述するメタデータ-ｖＬｏｗｅｒ９１６、変化する再生強度の最高強度を示す属性情報を叙述するメタデータ-ｖＵｐｐｅｒ９１８、再生装置の活性化を示す属性情報を叙述するメタデータ-ａｃｔｉｖａｔｅ９２０を含む。
【００４０】
図１０は、本発明の好適な実施形態によるＦａｎ Ｔｙｐｅメタデータ９００をスキーマ形態で示す構造図であって、Ｆａｎ Ｔｙｐｅメタデータ９００及びＦａｎ Ｔｙｐｅメタデータ９００の要素をスキーマ形態で示している。
【００４１】
表６は、Ｆａｎ Ｔｙｐｅメタデータ９００の基本タイプとして提供される叙述構造をＸＭＬスキーマ形態で示すものである。
【表６】
0005781435.tif 000007
【００４２】
一方、本発明では１つの感覚効果情報を表現するための１つの実施例であるＦａｎ Ｔｙｐｅメタデータ９００のように、温度、照明、振動効果のような感覚再生効果情報を表現するために、Ｓｉｎｇｌｅ Ｅｆｆｅｃｔメタデータ３０４の叙述構造を拡張したメタデータを生成する方法で多様な感覚効果情報を表現できる。
【００４３】
図１１は、本発明の好適な実施形態による原本（参照）カラーパラメータメタデータの要素を示すブロック図である。
【００４４】
図１１を参照すれば、動画コンテンツの原本カラー復元情報を叙述するメタデータ（Ｒｅｆｅｒｅｎｃｅ Ｃｏｌｏｒ Ｐａｒａｍｅｔｅｒ）１１００は、成功的なカラー復元のための原本カラーディスプレイ装置の特性を示すカーブを叙述するＴｏｎｅ Ｒｅｐｒｏｄｕｃｔｉｏｎ Ｃｕｒｖｅｓ１１０２、原本映像のカラー空間から標準カラー空間へ映像変換を行うマトリクスを叙述するＣｏｎｖｅｒｓｉｏｎ Ｍａｔｒｉｘ１１０４、原本映像作業空間での照明光源の種類を叙述するＩｌｌｕｍｉｎａｎｔ１１０６、原本カラーディスプレイの色域を叙述するＩｎｐｕｔ Ｄｅｖｉｃｅ Ｃｏｌｏｒ Ｇａｍｕｔ１１０８、周辺の輝度を叙述するＬｕｍｉｎａｎｃｅ Ｏｆ Ｓｕｒｒｏｕｎｄ１１１０メタデータを含む。
【００４５】
一方、本発明では色空間の変換のための方法としてゲインオフセットガンマ（ＧＯＧ：Ｇａｉｎ Ｏｆｆｓｅｔ Ｇａｍｍａ）モデルを用いることを基本とするが、多項変換（Ｐｏｌｙｎｏｍｉａｌ）やＰＬＣＣのような他の変換モデルを用いてもよい。
【００４６】
図１２は、本発明の好適な実施形態による原本カラーメタデータをスキーマ形態で示す構造図であって、Ｒｅｆｅｒｅｎｃｅ Ｃｏｌｏｒ Ｐａｒａｍｅｔｅｒメタデータ１１００及びＲｅｆｅｒｅｎｃｅ Ｃｏｌｏｒ Ｐａｒａｍｅｔｅｒメタデータ１１００の要素をスキーマ形態で示している。
【００４７】
表７は、Ｒｅｆｅｒｅｎｃｅ Ｃｏｌｏｒ Ｐａｒａｍｅｔｅｒメタデータ１１００の叙述構造をＸＭＬスキーマ形態で示すものである。
【表７】
0005781435.tif 000008
【００４８】
図１３は、本発明の好適な実施形態によるトーン再生カーブの要素を示すブロック図である。
【００４９】
図１３を参照すれば、原本カラーディスプレイ装置の特性を示すカーブを叙述するメタデータ（Ｔｏｎｅ Ｒｅｐｒｏｄｕｃｔｉｏｎ Ｃｕｒｖｅｓ）１１０２の要素を示すものであって、Ｔｏｎｅ Ｒｅｐｒｏｄｕｃｔｉｏｎ Ｃｕｒｖｅｓメタデータ１１０２は、原本カラーディスプレイ装置の各チャネル毎のガンマ値を表示するために必要なＤＡＣ（Ｄｉｇｉｔａｌ ｔｏ Ａｎａｌｏｇ Ｃｏｎｖｅｒｓｉｏｎ）値とＲＧＢ値を叙述するＲｅｃｏｒｄ１３００メタデータとＤＡＣ値を叙述するＤＡＣ_Ｖａｌｕｅ１３０２メタデータと各チャネルのＲＧＢ値を叙述するＲＧＢ_Ｖａｌｕｅ１３０４メタデータを含む。
【００５０】
図１４は、本発明の好適な実施形態によるトーン再生カーブをスキーマ形態で示す構造図であって、Ｔｏｎｅ Ｒｅｐｒｏｄｕｃｔｉｏｎ Ｃｕｒｖｅｓメタデータ１１０２及びＴｏｎｅ Ｒｅｐｒｏｄｕｃｔｉｏｎ Ｃｕｒｖｅｓメタデータ１１０２の要素をスキーマ形態で示している。
【００５１】
表８は、Ｔｏｎｅ Ｒｅｐｒｏｄｕｃｔｉｏｎ Ｃｕｒｖｅｓメタデータ１１０２をＸＭＬインスタンス形式で表現した例を示すものである。
【表８】
0005781435.tif 000009
【００５２】
図１５は、本発明の好適な実施形態による映像変換マトリクスの要素を示すブロック図である。
【００５３】
図１５を参照すれば、原本映像のカラー空間から標準カラー空間へ映像変換を行うマトリクスを叙述するメタデータ-Ｃｏｎｖｅｒｓｉｏｎ Ｍａｔｒｉｘ１１０４の要素を示すものであって、Ｃｏｎｖｅｒｓｉｏｎ Ｍａｔｒｉｘメタデータ１１０４は、ＲＧＢ色空間をＸＹＺ色空間に変換するためのマトリクスを叙述するＲＧＢ_ＸＹＺ１５００、ＧＯＧ変換のために必要な各チャネルのＲＧＢスカラー（Ｓｃａｌａｒ）最大値を叙述するＲＧＢＳｃａｌａｒ_Ｍａｘ１５０２、原本カラーディスプレイ装置のオフセット（ｏｆｆｓｅｔ）値を叙述するＯｆｆｓｅｔ_Ｖａｌｕｅ１５０４、ＧＯＧ変換のために必要なパラメータである原本カラーディスプレイ装置のゲイン、オフセット、ガンマ値を叙述するＧａｉｎ_Ｏｆｆｓｅｔ_Ｇａｍｍａ１５０６、ＸＹＺ色空間をＲＧＢ色空間に逆変換するためのマトリクスを叙述するＩｎｖｅｒｓｅ ｍａｔｒｉｘ１５０８メタデータを含む。
【００５４】
図１６は、本発明の好適な実施形態による映像変換マトリクスをスキーマ形態で示す構造図であって、Ｃｏｎｖｅｒｓｉｏｎ Ｍａｔｒｉｘメタデータ１１０４及びＣｏｎｖｅｒｓｉｏｎ Ｍａｔｒｉｘメタデータ１１０４の要素をスキーマ形態で示している。
【００５５】
表９は、Ｃｏｎｖｅｒｓｉｏｎ Ｍａｔｒｉｘメタデータ１１０４をＸＭＬインスタンス形式で表現した例を示すものである。
【表９】
0005781435.tif 000010
【００５６】
図１７は、本発明の好適な実施形態による照明光源メタデータの要素を示すブロック図である。
【００５７】
図１７を参照すれば、原本映像作業空間での照明光源の種類を叙述するメタデータ-Ｉｌｌｕｍｉｎａｎｔ１１０６の要素を示すものであって、Ｉｌｌｕｍｉｎａｎｔメタデータ１１０６は、ＣＩＥ標準照明のタイプを叙述するＤａｙｌｉｇｈｔ１７００、標準照明のタイプに応じた白色基準点色度（ｗｈｉｔｅ ｐｏｉｎｔ ｃｈｒｏｍａｔｉｃｉｔｙ）値を叙述するＸＹ_Ｖａｌｕｅ１７０２メタデータを含む。
【００５８】
図１８は、本発明の好適な実施形態による照明光源をスキーマ形態で示す構造図であって、Ｉｌｌｕｍｉｎａｎｔメタデータ１１０６及びＩｌｌｕｍｉｎａｎｔメタデータ１１０６の要素をスキーマ形態で示す図である。
【００５９】
表１０は、Ｉｌｌｕｍｉｎａｎｔメタデータ１１０６をＸＭＬインスタンス形式で表現した例を示すものである。
【表１０】
0005781435.tif 000011
【００６０】
図１９は、本発明の好適な実施形態による入力装置色域メタデータの要素を示す構造図である。
【００６１】
図１９を参照すれば、原本カラーディスプレイの色域を叙述するメタデータ-Ｉｎｐｕｔ Ｄｅｖｉｃｅ Ｃｏｌｏｒ Ｇａｍｕｔ１１０８の要素を示すものであって、Ｉｎｐｕｔ Ｄｅｖｉｃｅ Ｃｏｌｏｒ Ｇａｍｕｔメタデータ１１０８は、入力機器の種類を叙述するＩＤＣＧ_Ｔｙｐｅ１９００、入力機器の最大ＤＡＣ値でのｘ、ｙ値を叙述するＩＤＣＧ_Ｖａｌｕｅ１９０２メタデータを含む。
【００６２】
図２０は、本発明の好適な実施形態による入力装置色域メタデータをスキーマ形態で示す構造図であって、Ｉｎｐｕｔ Ｄｅｖｉｃｅ Ｃｏｌｏｒ Ｇａｍｕｔメタデータ１１０８及びＩｎｐｕｔ Ｄｅｖｉｃｅ Ｃｏｌｏｒ Ｇａｍｕｔメタデータ１１０８の要素をスキーマ形態で示している。
【００６３】
表１１は、Ｉｎｐｕｔ Ｄｅｖｉｃｅ Ｃｏｌｏｒ Ｇａｍｕｔメタデータ１１０８をＸＭＬインスタンス形式で表現した例を示すものである。
【表１１】
0005781435.tif 000012
【００６４】
図２１は、本発明の好適な実施形態によるＵＰＩメタデータ生成部を示すブロック図である。
【００６５】
図２１を参照すれば、ＵＰＩメタデータ生成部１０２は、消費者の選好情報に関するメタデータ情報を含むＵＰＩメタデータ（Ｕｓｅｒ Ｐｒｅｆｅｒｅｎｃｅ Ｉｎｆｏｒｍａｔｉｏｎ ｍｅｔａｄａｔａ）２１００を生成する。
【００６６】
図２２は、本発明の好適な実施形態によるＵＰＩメタデータの要素を示すブロック図である。
【００６７】
図２２を参照すれば、ＵＰＩメタデータ２１００は、最終ユーザの個人情報を叙述するメタデータ-Ｐｅｒｓｏｎａｌ Ｉｎｆｏ２２００と感覚効果選好情報を叙述するメタデータ-Ｐｒｅｆｅｒｅｎｃｅ Ｄｅｓｃｒｉｐｔｉｏｎ２２０２を含む。
【００６８】
図２３は、本発明の好適な実施形態によるＵＰＩメタデータをスキーマ形態で示す構造図であって、ＵＰＩメタデータ２１００及びＵＰＩメタデータ２１００の要素をスキーマ形態で示す図である。
【００６９】
表１２は、ＵＰＩメタデータ２１００の叙述構造をＸＭＬスキーマ形態で示すものである。
【表１２】
0005781435.tif 000013
【００７０】
図２４は、本発明の好適な実施形態による感覚効果選好情報メタデータの要素を示す構造図である。
【００７１】
図２４を参照すれば、感覚効果選好情報を叙述するメタデータ-Ｐｒｅｆｅｒｅｎｃｅ Ｄｅｓｃｒｉｐｔｉｏｎ２２０２の要素を示すものであって、Ｐｒｅｆｅｒｅｎｃｅ Ｄｅｓｃｒｉｐｔｉｏｎメタデータ２２０２は、ユーザの動画コンテンツの原本カラー復元の選好情報を叙述するメタデータ-Ｓｅｌｅｃｔ Ｒｅｆｅｒｅｎｃｅ Ｃｏｌｏｒ２４００と照明調節選好情報を叙述するメタデータ-Ｓｅｌｅｃｔ Ｄｉｍｍｉｎｇ２４０２、周辺照明調節選好情報を叙述するメタデータ-Ｓｅｌｅｃｔ ＬＥＤ２４０４、温度調節選好情報を叙述するメタデータ-Ｓｅｌｅｃｔ Ｔｅｍｐｅｒａｔｕｒｅ２４０６、その他の再生可能な効果などの選好情報を叙述するメタデータ-Ｓｅｌｅｃｔ ｗｉｎｄ２４０８を含むことを特徴とする。
【００７２】
図２５は、本発明の好適な実施形態による感覚効果選好情報メタデータをスキーマ形態で示す構造図であって、Ｐｒｅｆｅｒｅｎｃｅ Ｄｅｓｃｒｉｐｔｉｏｎメタデータ２２０２及びＰｒｅｆｅｒｅｎｃｅ Ｄｅｓｃｒｉｐｔｉｏｎメタデータ２２０２の要素をスキーマ形態で示す図である。
【００７３】
表１３は、Ｐｒｅｆｅｒｅｎｃｅ Ｄｅｓｃｒｉｐｔｉｏｎメタデータ２２０２の叙述構造をＸＭＬスキーマ形態で示すものである。
【００７４】
図２６は、本発明の好適な実施形態によるＤＣＩメタデータ生成部を示すブロック図である。
【００７５】
図２６を参照すれば、ＤＣＩメタデータ生成部１０４は、感覚再生装置の再生能力情報に関するメタデータ情報を含むＤＣＩメタデータ（Ｄｅｖｉｃｅ Ｃａｐａｂｉｌｉｔｙ Ｉｎｆｏｒｍａｔｉｏｎ ｍｅｔａｄａｔａ）２６００を生成する。
【００７６】
図２７は、本発明の好適な実施形態によるＤＣＩメタデータの要素を示すブロック図であって、ＤＣＩメタデータ１０４は、装置の再生可能な能力を叙述するメタデータ-Ｄｅｖｉｃｅ Ｃａｐａｂｉｌｉｔｙ２７００を含む。
【００７７】
図２８は、本発明の好適な実施形態によるＤＣＩメタデータをスキーマ形態で示す構造図であって、ＤＣＩメタデータ１０４及びＤＣＩメタデータ１０４の要素であるＤｅｖｉｃｅ Ｃａｐａｂｉｌｉｔｙ２７００をスキーマ形態で示す図である。
【００７８】
表１４は、ＤＣＩメタデータ１０４の叙述構造をＸＭＬスキーマ形態で示すものである。
【表１４】
0005781435.tif 000014
【００７９】
図２９は、本発明の好適な実施形態による装置能力メタデータの要素を示すブロック図である。
【００８０】
図２９を参照すれば、装置の再生能力を叙述するメタデータ-Ｄｅｖｉｃｅ Ｃａｐａｂｉｌｉｔｙ２７００の要素を示す。図２９のように、Ｄｅｖｉｃｅ Ｃａｐａｂｉｌｉｔｙメタデータ２７００は、装置の固有識別番号属性情報を叙述するメタデータ-Ｄｅｖｉｃｅ ＩＤ２９００と、装置の種類を示す属性情報を叙述するメタデータ-Ｔｙｐｅ Ｏｆ Ｄｅｖｉｃｅ２９０２と、感覚再生装置の個数情報を叙述するメタデータ-Ｎｕｍｂｅｒ２９０４と、最小再生能力情報を叙述するメタデータ-Ｍｉｎ Ｌｅｖｅｌ２９０６と、最大再生能力情報を叙述するメタデータ-Ｍａｘ Ｌｅｖｅｌ２９０８と、装置の位置情報を叙述するメタデータ-Ｌｏｃａｔｉｏｎ２９１０を含む。
【００８１】
図３０は、本発明の好適な実施形態による装置能力メタデータをスキーマ形態で示す構造図であって、Ｄｅｖｉｃｅ Ｃａｐａｂｉｌｉｔｙメタデータ２７００をスキーマ形態で示す図である。
【００８２】
表１５は、Ｄｅｖｉｃｅ Ｃａｐａｂｉｌｉｔｙメタデータ２７００の叙述構造をＸＭＬスキーマ形態で示すものである。
【表１５】
0005781435.tif 000015
【００８３】
図３１は、本発明の好適な実施形態によるＳＤＣメタデータ生成部を示すブロック図である。
【００８４】
図３１を参照すれば、ＳＤＣメタデータ生成部１０６は、感覚再生装置制御命令情報に関するメタデータ情報を含むＳＤＣメタデータ（Ｓｅｎｓｏｒｙ Ｄｅｖｉｃｅ Ｃｏｍｍａｎｄ ｍｅｔａｄａｔａ）３１００を生成するようになる。
【００８５】
図３２は、本発明の好適な実施形態によるＳＤＣメタデータの要素を示すブロック図であって、図３２のように、ＳＤＣメタデータ３１００は、感覚再生装置制御命令情報を叙述するメタデータ（ＳｅｎｓｏｒｙＤｅｖｉｃｅＣｏｍｍａｎｄ）３２００を含む。
【００８６】
図３３は、本発明の好適な実施形態によるＳＤＣメタデータをスキーマ形態で示す構造図であって、図３２に示すＳＤＣメタデータ３１００及びＳＤＣメタデータ３１００の要素をスキーマ形態で示している。
【００８７】
表１６は、ＳＤＣメタデータ３１００の叙述構造をＸＭＬスキーマ形態で示すものである。
【表１６】
0005781435.tif 000016
【００８８】
表１７は、ＳＤＣメタデータ３１００の基本タイプとして提供される叙述構造をＸＭＬスキーマ形態で示すものである。
【表１７】
0005781435.tif 000017
【００８９】
図３４は、本発明の好適な実施形態による１つの感覚再生装置の制御命令情報の例であって、風効果を再生する装置の制御命令情報を叙述するメタデータ-Ｓｅｔ Ｆａｎ Ｔｙｐｅ３４００の要素を示すブロック図である。
【００９０】
図３４を参照すれば、再生強度を示す属性情報を叙述するメタデータ（ｓｐｅｅｄ）３４０２と一定に再生される持続時間を示す属性情報を叙述するメタデータ（ｄｕｒａｔｉｏｎ）３４０４、再生装置の活性化を示す属性情報を叙述するメタデータ（ａｃｔｉｖａｔｅ）３４０６を含む。
【００９１】
図３５は、本発明の好適な実施形態によるＳｅｔ Ｆａｎ Ｔｙｐｅメタデータ３４００をスキーマ形態で示す構造図であって、Ｓｅｔ Ｆａｎ Ｔｙｐｅメタデータ３４００及びＳｅｔ Ｆａｎ Ｔｙｐｅメタデータ３４００の要素をスキーマ形態で示している。
【００９２】
表１８は、Ｓｅｔ Ｆａｎ Ｔｙｐｅメタデータ３４００の基本タイプとして提供される叙述構造をＸＭＬスキーマ形態で示すものである。
【表１８】
0005781435.tif 000018
【００９３】
一方、本発明では１つの感覚再生装置の制御命令情報を表現するための１つの実施例であるＳｅｔ Ｆａｎ Ｔｙｐｅメタデータ３４００のように、ＳＤＣメタデータ３１００の叙述構造を拡張したメタデータを生成する方法で温度、照明、振動効果のような多様な感覚再生装置制御命令情報を表現できる。
【００９４】
即ち、感覚再生装置制御命令情報を叙述するメタデータ（ＳｅｎｓｏｒｙＤｅｖｉｃｅＣｏｍｍａｎｄ）３２００には感覚効果を再生する装置に対する固有識別情報と、再生装置の感覚効果情報と、感覚効果と関連したパラメータ情報に関するメタデータを含むことができる。
【００９５】
例えば、感覚効果を再生する装置に対する固有識別情報として各再生装置タイプ情報に対するメタデータが拡張され得、各再生装置タイプ情報メタデータの各要素又は再生装置の感覚効果情報及び感覚効果と関連したパラメータ情報として動画コンテンツの原本カラー復元設定情報と、照明再生設定情報と、振動設定情報と、温度再生設定情報と、各再生装置の再生方向設定情報などのようなメタデータが含まれ得る。
【００９６】
図３６は、本発明の好適な実施形態による広告動画コンテンツの視聴においてメタデータを活用して感覚効果を再生するマルチメディアアプリケーションサービスを示す図であって、動画コンテンツの視聴において感覚効果を再生するマルチメディアアプリケーションシステムと装置に対するメタデータを活用して広告する方法を示す図である。
【００９７】
図３６を参照すれば、広告製作者が製作した広告動画コンテンツ３６００と製作者が意図する感覚効果を生成してユーザに提供するためのものであって、製作者は完成した広告の効果を最大化するために、原色表現、メーン照明、周辺照明及び温度に該当するＳＥＩメタデータ２００を生成する。
【００９８】
表１９は、広告製作者が生成したＳＥＩメタデータ２００をＸＭＬインスタンス形式で表現した例を示すものである。
【表１９】
0005781435.tif 000019
0005781435.tif 000020
0005781435.tif 000021
【００９９】
表１９は広告製作者が意図する原本カラーの復元のためのパラメータを含み、メーン照明効果と周辺照明効果（ＬＥＤ）、温度効果、風効果などを叙述しているＳＥＩメタデータ２００のＸＭＬインスタンスである。
【０１００】
完成した広告動画コンテンツ３６００とこれに該当するＳＥＩメタデータ２００を伝送するために、ＭＡＦ（Ｍｕｌｔｉｍｅｄｉａ Ａｐｐｌｉｃａｔｉｏｎ Ｆｏｒｍａｔ）形態の広告メディアを生成する。一方、本発明では動画コンテンツとメタデータを１つのメディア形態で表現するためにＭＡＦ形態を用いるが、これに限定されるものではない。生成されたＭＡＦ形態の広告メディアをインターネットやケーブルなどの通信チャネル部１１２を介して感覚再生装置エンジン部１０８に伝達し、消費者に広告動画コンテンツ３００に対する感覚効果があることを知らせるようになる。
【０１０１】
これにより、広告消費者は伝送された広告メディアの感覚効果を適用するか否かを選択する。選択する方法の一実施形態としては、消費者のディスプレイに再生及び再生効果程度を選択できるグラフィックユーザインターフェース（ＧＵＩ）を利用できる。仮りに消費者が広告メディア再生効果の適用如何を選択したならば、ＵＰＩメタデータ２１００が生成されて感覚再生装置エンジン部１０８に送られる。
【０１０２】
表２０は、消費者が広告メディア効果を適用したとき、消費者から生成されたＵＰＩメタデータ２１００をＸＭＬインスタンス形式で表現した例を示すものである。
【表２０】
0005781435.tif 000022
【０１０３】
表２０は、広告消費者の感覚効果選好情報を叙述しているＵＰＩメタデータ２１００のＸＭＬインスタンスであって、原本色再現、メーン照明、周辺照明、温度、風調節効果をいずれも用い、メーン照明と温度、風調節の再生効果程度を叙述している。
【０１０４】
感覚再生装置エンジン部１０８は、広告メディアの感覚効果を再生するためのＳＥＩメタデータ２００と、感覚再生装置制御部１１０に接続された周辺装置（メーン照明、周辺照明（ＬＥＤ）、エアコン）のＤＣＩメタデータ２６００と、消費者の感覚効果再生選好情報であるＵＰＩメタデータ２１００の入力を受け、次いで広告が再生され始める。
【０１０５】
表２１は、感覚再生装置制御部１１０から生成された感覚再生装置のＤＣＩメタデータ２６００をＸＭＬインスタンス形式で表現した例を示すものである。
【表２１】
0005781435.tif 000023
【０１０６】
表２１は、各感覚再生装置の感覚効果再生能力の範囲を叙述しているＤＣＩメタデータ２６００のＸＭＬインスタンスであって、メーン照明と周辺照明、温度、風調節装置の再生能力範囲を叙述している。
【０１０７】
広告が再生される間に製作者が提供した原色表現、メーン照明、周辺照明、温度及び風ＳＥＩメタデータが感覚再生装置エンジン部１０８により解釈され、これにより、ＤＣＩメタデータ２６００を解釈して製作者が表そうとする感覚効果のうち、現在使用可能な感覚再生装置を判断する。
【０１０８】
その後、ユーザのＵＰＩメタデータ２１００に基づいてユーザの選好情報を最終的に解釈して生成されたＳＤＣメタデータ３１００を感覚再生装置制御部１１０に伝達する。
【０１０９】
表２２は、感覚再生装置エンジン部１０８から生成されたＳＤＣメタデータ３１００をＸＭＬインスタンス形式で表現した例を示すものである。
【表２２】
0005781435.tif 000024
【０１１０】
表２２は、感覚再生装置制御部１１０に伝達されるＳＤＣメタデータ３１００のＸＭＬインスタンスであって、消費者のＵＰＩメタデータ２１００に対応して調整された感覚効果再生情報に応じて原本カラー復元情報及びメーン照明、周辺照明、温度、風調節の再生効果程度を叙述している。
【０１１１】
感覚再生装置制御部１１０は、ＳＤＣメタデータ３１００に基づいて接続されたそれぞれの感覚再生装置に制御信号を送って消費者に製作者が意図した感覚効果を再生する。これにより、広告画面で太陽光が強い涼しい海の画面が再生中であれば、広告製作者が意図した通り編集した原色感がそのまま表示され、メーン照明を強く照らし、涼しい海の背景に合せて周辺のＬＥＤ（周辺照明）が青く光り、背中からは涼しいエアコンの風が出るようになる。消費者はこのような広告メディアを視聴しながら、広告商品を購買したい衝動を感じ、商品を購買するようになる。
【０１１２】
仮りに消費者が広告メディア効果を適用しなかったならば、広告製作者の意図された画面の原色ではないデジタルテレビの色感情報が反映されたビール広告が再生され、消費者は広告を見ながら、特に反応を見せないこともあり得る。
【０１１３】
表２３は、消費者が広告メディア効果を適用しなかったとき、消費者から生成されたＵＰＩメタデータ２１００をＸＭＬインスタンス形式で表現した例を示すものである。
【表２３】
0005781435.tif 000025
【０１１４】
表２３は、消費者の感覚効果選好情報を叙述しているＵＰＩメタデータ２１００のＸＭＬインスタンスであって、原本色再現、メーン照明、周辺照明、温度、風調節効果をいずれも使用しないことを叙述している。
【０１１５】
以上説明した通り、本発明は動画コンテンツの視聴において動画コンテンツを構成する内容に応じてディスプレイ機器の色感及び周辺照明など周辺感覚再生装置を効果的に制御するためのものであって、動画の内容に応じてディスプレイ色感と周辺感覚再生装置の調節を最適化するための新たなメタデータ形式を伴い、既存製作者の意図に応じた消費者中心の高品質マルチメディアサービスを提供する。
【０１１６】
なお、本発明の詳細な説明では具体的な実施形態について説明したが、後述する特許請求の範囲から逸脱しない範囲内で様々な変形が可能であるのはもちろんである。
【図１】
0005781435.tif 000026
【図２】
0005781435.tif 000027
【図３】
0005781435.tif 000028
【図４】
0005781435.tif 000029
【図５】
0005781435.tif 000030
【図６】
0005781435.tif 000031
【図７】
0005781435.tif 000032
【図８】
0005781435.tif 000033
【図９】
0005781435.tif 000034
【図１０】
0005781435.tif 000035
【図１１】
0005781435.tif 000036
【図１２】
0005781435.tif 000037
【図１３】
0005781435.tif 000038
【図１４】
0005781435.tif 000039
【図１５】
0005781435.tif 000040
【図１６】
0005781435.tif 000041
【図１７】
0005781435.tif 000042
【図１８】
0005781435.tif 000043
【図１９】
0005781435.tif 000044
【図２０】
0005781435.tif 000045
【図２１】
0005781435.tif 000046
【図２２】
0005781435.tif 000047
【図２３】
0005781435.tif 000048
【図２４】
0005781435.tif 000049
【図２５】
0005781435.tif 000050
【図２６】
0005781435.tif 000051
【図２７】
0005781435.tif 000052
【図２８】
0005781435.tif 000053
【図２９】
0005781435.tif 000054
【図３０】
0005781435.tif 000055
【図３１】
0005781435.tif 000056
【図３２】
0005781435.tif 000057
【図３３】
0005781435.tif 000058
【図３４】
0005781435.tif 000059
【図３５】
0005781435.tif 000060
【図３６】
0005781435.tif 000061